(57)【要約】【課題】冷めた温水の返還構造を設けることで、利用者の設定した温度になるまで、吐水初期の冷めた湯水を吐出口、シャワー設備から吐出させず、適温になった温水のみを吐出口等から吐出させ、無駄に水を捨てることがなく、更にこの冷めた温水を再利用する。【解決手段】貯湯タンク１から温水を混合水栓２に供給する給湯管路３と、給水系統４から水を混合水栓２に供給する給水管路５と、給湯管路３に滞留している滞留水を貯湯タンク１に返還する返還管路６とを備え、混合水栓２からの給湯に際して、給湯管路３内に滞留している滞留水は混合水栓２に吐出させず、利用者の設定した温度の貯湯タンク１内の温水のみを混合水栓２から吐出させるように構成した。【選択図】図１
2011220581.tif 000002
【特許請求の範囲】
【請求項１】
温水器の貯湯タンク（１）から給湯する温水に、水道水等の給水系統（４）からの水を混合して利用者が設定した温度の温水を供給する給湯・給水設備であって、
前記貯湯タンク（１）から温水を混合水栓（２）に供給する給湯管路（３）と、
前記給水系統（４）から水を前記混合水栓（２）に供給する給水管路（５）と、
前記給湯管路（３）に滞留している滞留水を前記貯湯タンク（１）に返還する返還管路（６）と、を備え、
前記混合水栓（２）からの給湯に際して、前記給湯管路（３）内に滞留している滞留水は該混合水栓（２）に吐出させず、利用者の設定した温度の貯湯タンク（１）内の温水のみを該混合水栓（２）から吐出させるように構成した、ことを特徴とする返還機能を有する給湯・給水設備。
【請求項２】
前記返還管路（６）の下流側を、前記貯湯タンク（１）の加熱用の発熱体（１０）を有する循環パイプ（９）に接続した、ことを特徴とする請求項１の返還機能を有する給湯・給水設備。
【請求項３】
温水器の貯湯タンク（１）からの温水と、水道水等の給水系統（４）からの水を混合して利用者が設定した温度の温水を吐出させる給湯・給水方法であって、
先ず、混合水栓（２）からの給湯に際して、前記貯湯タンク（１）から該混合水栓（２）までの給湯管路（３）に滞留している滞留水を吐出させず、該貯湯タンク（１）に返還し、
次に、前記貯湯タンク（１）内の温水が前記混合水栓（２）まで到達したら、その温水を吐出させ、
一方、前記貯湯タンク（１）に返還した滞留水は、再度加熱して温水にする、ことを特徴とする返還機能を有する給湯・給水方法。
【請求項４】
温水器の貯湯タンク（１）から給湯する温水に、水道水等の給水系統（４）からの水を混合して利用者が設定した温度の温水を供給する給湯・給水設備であって、
前記貯湯タンク（１）から温水を混合水栓（２）に供給する給湯管路（３）と、
前記給水系統（４）から水を前記混合水栓（２）に供給する給水管路（５）と、
前記給湯管路（３）に滞留している滞留水を一時貯留する貯留用タンク（３１）に返還する返還管路（６）と、
前記貯留用タンク（３１）に貯留した滞留水を、他の水栓（３２）に供給する滞留水供給管路（３３）と、を備え、
前記混合水栓（２）による給湯に際して、前記給湯管路（３）に滞留している滞留水は吐出させず、貯留用タンク（３１）に溜め、この貯留用タンク（３１）の滞留水は他の水栓（３２）から吐出させるように構成した、ことを特徴とする返還機能を有する給湯・給水設備。
【請求項５】
前記貯留用タンク（３１）は、その底部に出入口（４１）を設け、かつ該出入口（４１）が前記水栓（３２）の吐出口（１５）位置より上方に位置するように該貯留用タンク（３１）を配置し、該貯留用タンク（３１）内の滞留水はその自重で前記水栓（３２）から吐出するように構成した、ことを特徴とする請求項４の返還機能を有する給湯・給水設備。
【請求項６】
前記水栓（３２）内にジェットポンプ機構（３４、３８）を設け、前記貯留用タンク（３１）の滞留水を前記給水管路（５）からの給水と同時に該水栓（３２）に吸引して吐出させるように構成した、ことを特徴とする請求項４の返還機能を有する給湯・給水設備。
【請求項７】
温水器の貯湯タンク（１）からの温水と、水道水等の給水系統（４）からの水を混合して利用者が設定した温度の温水を吐出させる給湯・給水方法であって、
先ず、混合水栓（２）からの給湯に際して、前記貯湯タンク（１）から該混合水栓（２）までの給湯管路（３）に滞留している滞留水を吐出させず、一時貯留用タンク（１４）に返還し、
次に、前記貯湯タンク（１）内の温水が前記混合水栓（２）まで到達したら、その温水を吐出させ、
一方、前記貯留用タンク（３１）に貯留している滞留水は、トイレのような温水を利用しない他の水栓（３２）の給水に供する、ことを特徴とする返還機能を有する給湯・給水方法。
【請求項８】
前記水栓（３２）に、給水系統（４）の給水管路（５）も接続し、該給水管路（５）からの水勢により前記貯留用タンク（３１）に貯留している滞留水を吐出させる、ことを特徴とする請求項７の返還機能を有する給湯・給水方法。
【発明の詳細な説明】
【技術分野】
【０００１】
本発明は、温水と水とを混合する湯水混合水栓による給湯・給水設備に係り、特に貯湯タンクから長い給湯管を用いて水栓に給湯するときに適し、その冷めた湯水を有効利用することができる返還機能を有する給湯・給水設備及びその給湯・給水方法に関する。
【背景技術】
【０００２】
従来、温水と水とを混合し、適温に調整する機能を持つ湯水混合水栓としては、２ハンドル混合水栓、シングルレバー式混合水栓、ミキシング式混合水栓、サーモスタット式混合水栓等の種々の構造が知られている。例えば、２ハンドル混合水栓５１は、図１１の概略説明図に示すように、ハンドル５２ａ，５２ｂを２個装備し、一方のハンドル５２ａで水道水等の給水、他方のハンドル５２ｂで湯水をそれぞれ供給、停止する水栓である。この２ハンドル水栓５１は、水道水側の給水のハンドル（開閉弁５３ａ）と電気湯水器側又はガス給湯器側のハンドル（開閉弁５３ｂ）の開度に応じて水栓から吐出する温水の温度を調整する。
【０００３】
「シングルレバー式混合水栓」は１本のレバーから成り、このレバーの上下の操作で水、湯水を供給、停止し、またレバーの左右の操作で水栓から出てくる水、湯水の温度を調整する。「ミキシング式混合水栓」は、湯水を供給、停止する機能と、温度調節を行う機能とを別々にした水栓をいう。給湯器で４０℃や４２℃の適温に設定して、温調ハンドルを給湯側全開の給湯器設定温度にして使用することが前提となる。「サーモスタット式混合水栓」は、吐出口の内部に組み込まれたサーモカートリッジの作用で、温調ハンドルで温度を設定すると、安定的に希望の温度の湯水を吐出する水栓である。
【０００４】
例えばシングルレバー式混合水栓に関する技術としては、特許文献１の特許第２５４１０４９号公報「シングルレバー式混合水栓」のように、固定ディスク弁とボディとの間からの漏水を防止するよう改善されたシングルレバー式混合水栓が提案されている。
【特許文献１】特許第２５４１０４９号公報
【０００５】
また、特許文献２の特許第２８７４３２２号公報「温水混合水栓」のように、従来のサーモスタットミキシングバルブに比べて操作性に優れ、かつシングルレバー式湯水混合栓に比べて吐出温度の安定性に優れた湯水混合水栓が提案されている。
【特許文献２】特許第２８７４３２２号公報
【発明の開示】
【発明が解決しようとする課題】
【０００６】
しかし、図１２の系統図に示すように、従来のシングルレバー式混合水栓６１では温水と給水を混合する機能しかないため、レバー６２を操作しても、電気温水器の貯湯タンク６３から吐出口６４、シャワー設備６５までの配管６６内に滞留している冷めた水（滞留水）が吐出口６４、シャワー設備６５から出終わるまで適温の湯水が使えないという問題を有していた。例えば、冬場にシャワー設備６５を浴びようとして最初に冷めた水が出るのが苦痛となっていた。
【０００７】
そこで、シャワー設備６５の栓を捻ってから、１０数秒間温水が出るまで、シャワー設備６５から吐出される冷たい水を捨てていた。また、台所においては、レバー６２を操作してから冷たい最初の水を別な容器にとり、食器洗いや、洗濯機などに有効利用している人もいるが手間がかかっていた。このときも容器から溢れる水はそのまま捨てていた。
【０００８】
このような場合に、外国は元々水不足になる国が多く、水は貴重なものと認識している国が多い。最近では日本でも高度浄水等の水が貴重なものと認識されるようになり、環境負荷の観点からもこのような水を大切に使うという要請が高まってきた。
【０００９】
なお、都市ガス、プロパンガスによるガス給湯器、瞬間湯沸し器は、加熱部と吐出口、シャワー設備が近いので、直に温水を吐出させることができる。しかし、風呂場、台所、洗面所等の場所にそれぞれ設置する分散型設置ではコスト高になりやすいという問題を有していた。
【００１０】
一方、電気温水器は、深夜電力を利用して１台の温水器で風呂場、台所、洗面所などを給湯することが基本である。このようなオール電化住宅においては電気温水器の貯湯タンクから各使用場所までの給湯配管が長くなることは避けられなかった。
【００１１】
本発明は、かかる問題点を解決するために創案されたものである。すなわち、本発明の目的は、冷めた温水の返還構造を設けることで、利用者の設定した温度になるまで、吐水初期の冷めた湯水を吐出口、シャワー設備から吐出させず、適温になった温水のみを吐出口等から吐出させ、無駄に水を捨てることがなく、更にこの冷めた温水を再利用することができる返還機能を有する給湯・給水設備及びその給湯・給水方法を提供することにある。
【課題を解決するための手段】
【００１２】
本発明の給湯管路の冷めた湯水を返還して「給湯」に利用する給湯・給水設備は、温水器の貯湯タンク（１）から給湯する温水に、水道水等の給水系統（４）からの水を混合して利用者が設定した温度の温水を供給する給湯・給水設備であって、前記貯湯タンク（１）から温水を混合水栓（２）に供給する給湯管路（３）と、前記給水系統（４）から水を前記混合水栓（２）に供給する給水管路（５）と、前記給湯管路（３）に滞留している滞留水を前記貯湯タンク（１）に返還する返還管路（６）と、を備え、前記混合水栓（２）からの給湯に際して、前記給湯管路（３）内に滞留している滞留水は該混合水栓（２）に吐出させず、利用者の設定した温度の貯湯タンク（１）内の温水のみを該混合水栓（２）から吐出させるように構成した、ことを特徴とする。
【００１３】
前記返還管路（６）の下流側を、前記貯湯タンク（１）の加熱用の発熱体（１０）を有する循環パイプ（９）に接続した。
【００１４】
本発明の給湯管路の冷めた湯水を返還して「給湯」に利用する給湯・給水方法は、温水器の貯湯タンク（１）からの温水と、水道水等の給水系統（４）からの水を混合して利用者が設定した温度の温水を吐出させる給湯・給水方法であって、先ず、混合水栓（２）からの給湯に際して、前記貯湯タンク（１）から該混合水栓（２）までの給湯管路（３）に滞留している滞留水を吐出させず、該貯湯タンク（１）に返還し、次に、前記貯湯タンク（１）内の温水が前記混合水栓（２）まで到達したら、その温水を吐出させ、一方、前記貯湯タンク（１）に返還した滞留水は、再度加熱して温水にする、ことを特徴とする。
【００１５】
本発明の給湯管路の冷めた湯水を返還して「給水」に利用する給湯・給水設備は、温水器の貯湯タンク（１）から給湯する温水に、水道水等の給水系統（４）からの水を混合して利用者が設定した温度の温水を供給する給湯・給水設備であって、前記貯湯タンク（１）から温水を混合水栓（２）に供給する給湯管路（３）と、前記給水系統（４）から水を前記混合水栓（２）に供給する給水管路（５）と、前記給湯管路（３）に滞留している滞留水を一時貯留する貯留用タンク（３１）に返還する返還管路（６）と、前記貯留用タンク（３１）に貯留した滞留水を、他の水栓（３２）に供給する滞留水供給管路（３３）と、を備え、前記混合水栓（２）による給湯に際して、前記給湯管路（３）に滞留している
滞留水は吐出させず、貯留用タンク（３１）に溜め、この貯留用タンク（３１）の滞留水は他の水栓（３２）から吐出させるように構成した、ことを特徴とする。
【００１６】
前記貯留用タンク（３１）は、その底部に出入口（４１）を設け、かつ該出入口（４１）が前記水栓（３２）の吐出口（１５）位置より上方に位置するように該貯留用タンク（３１）を配置し、該貯留用タンク（３１）内の滞留水はその自重で前記水栓（３２）から吐出するように構成したものである。
前記水栓（３２）内にジェットポンプ機構（３４，３８）を設け、前記貯留用タンク（３１）の滞留水を前記給水管路（５）からの給水と同時に該水栓（３２）に吸引して吐出させるように構成したものである。
【００１７】
本発明の給湯管路の冷めた湯水を返還して「給水」に利用する給湯・給水方法は、温水器の貯湯タンク（１）からの温水と、水道水等の給水系統（４）からの水を混合して利用者が設定した温度の温水を吐出させる給湯・給水方法であって、先ず、混合水栓（２）からの給湯に際して、前記貯湯タンク（１）から該混合水栓（２）までの給湯管路（３）に滞留している滞留水を吐出させず、一時貯留用タンク（１４）に返還し、次に、前記貯湯タンク（１）内の温水が前記混合水栓（２）まで到達したら、その温水を吐出させ、一方、前記貯留用タンク（３１）に貯留している滞留水は、トイレのような温水を利用しない他の水栓（３２）の給水に供する、ことを特徴とする。
前記水栓（３２）に、給水系統（４）の給水管路（５）も接続し、該給水管路（５）からの水勢により前記貯留用タンク（３１）に貯留している滞留水を吐出させる。
【発明の効果】
【００１８】
本発明の構成の給湯管路の冷めた湯水を返還して「給湯」に利用する給湯・給水設備、方法では、給湯に際して、貯湯タンク（１）から混合水栓（２）までの給湯管路（３）内に滞留している滞留水を、返還管路（６）から貯湯タンク（１）に返還して、この冷たい滞留水は混合水栓（２）、シャワー設備（７）等から吐出させない。貯湯タンク（１）内の温水が混合水栓（２）、シャワー設備（７）等まで到達したら吐出させる。返還した滞留水は、再度加熱して貯湯タンク（１）に貯留する。これにより、滞留水を無駄に捨てることなく、適温になった温水のみを混合水栓（２）、シャワー設備（７）等から吐出させることができる。
【００１９】
本発明の構成の給湯管路の冷めた湯水を返還して「給水」に利用する給湯・給水設備、方法では、給湯に際して、貯湯タンク（１）から混合水栓（２）までの給湯管路（３）内に滞留している滞留水を、返還管路（６）から貯留用タンク（３１）に返還して、この冷たい滞留水は混合水栓（２）、シャワー設備（７）等から吐出させない。貯湯タンク（１）の温水が混合水栓（２）、シャワー設備（７）等まで到達したら吐出させる。これにより、滞留水を無駄に捨てることなく、水適温になった温水のみを混合水栓（２）、シャワー設備（７）等から吐出させることができる。
この貯留用タンク（３１）に貯留している滞留水は、トイレのような温水を利用しない他の水栓（３２）の給水に供する。これにより、貯湯タンク（１）から混合水栓（２）までの給湯管路（３）内に滞留している滞留水を有効に利用することができる。
【図面の簡単な説明】
【００２０】
【図１】本発明の実施例１の給湯管路の冷めた湯水を返還して「給湯」に利用する返還機能を有する給湯・給水設備を示す概略系統図である。
【図２】実施例１の返還機能を有する給湯・給水設備における混合水栓の一例を示す概略説明図である。
【図３】実施例１の返還機能を有する給湯・給水設備における混合水栓の一例を示す拡大概略説明図である。
【図４】混合水栓の動作状態を示す概略説明図であり、（ａ）は滞留水を返還している状態、（ｂ）は適温の温水を吐出している状態、（ｃ）は温水と水を混合して吐出している状態である。
【図５】返還機能を有する混合水栓を示す概略説明図である。
【図６】実施例１の給湯管路の冷めた湯水を返還して「給湯」に利用する返還機能を有する給湯・給水設備の制御方法を示す概略系統図であり、（ａ）は無圧タンクに滞留水が無い場合、（ｂ）は無圧タンクに滞留水が有る場合である。
【図７】実施例２の給湯管路の冷めた湯水を返還して「給水」に利用する返還機能を有する給湯・給水設備を示す概略系統図である。
【図８】ジェットポンプ機構を設けた水栓の一例を示す概略構成図である。
【図９】ジェットポンプ機構を設けた水栓の他の一例を示す分解斜視図である。
【図１０】実施例２の返還機能を有する給湯・給水設備の変形例を示す概略系統図である。
【図１１】従来の混合水栓を示す概略説明図である。
【図１２】従来の混合水栓による給湯方法を示す概略系統図である。
【発明を実施するための最良の形態】
【００２１】
本発明の返還機能を有する給湯・給水設備は、混合水栓による給湯に際して、温水器の貯湯タンクから給湯する給湯管路に滞留している冷めた滞留水は吐出口、シャワー設備等から吐出させず、利用者の設定した温度の温水のみを吐出させ、この冷めた水は再利用するように構成したものである。
【実施例１】
【００２２】
以下、本発明の好ましい実施の形態を図面を参照して説明する。
図１は本発明の実施例１の給湯管路の冷めた湯水を返還して「給湯」に利用する返還機能を有する給湯・給水設備を示す概略系統図である。
実施例１の給湯管路の冷めた湯水を返還して主に「給湯」に利用する返還機能を有する給湯・給水設備は、電気温水器のような貯湯タンク１から温水を混合水栓２に供給する給湯管路３と、給水系統４から水を混合水栓２に供給する給水管路５と、給湯管路３に滞留している滞留水を貯湯タンク１に返還する返還管路６を備えた設備である。図示例では、給湯管路３、給水管路５及び返還管路６について、２組の混合水栓２に接続した例を示しているが、この数に限定されない。給湯管路３、給水管路５及び返還管路６は、それぞれ台所、洗面所、シャワー設備７等それぞれの混合水栓２に分岐して接続することができる。
【００２３】
混合水栓２に接続している給湯管路３は、電気温水器で加熱した温水を貯留している貯湯タンク１から温水を供給する管路である。混合水栓２に接続している給水管路５は、水道水、井戸水等の給水系統４から水を供給する管路である。この給水系統４には後述するような開閉弁２７を設けている（図６参照）。この水と温水は、例えばレバー８の操作で供給、停止する。このレバー８の上下の操作で水、湯水を供給、停止し、またレバー８の左右の操作で混合水栓２から吐出する湯水の温度を調整する。
【００２４】
電気温水器は、図１に示すように、貯湯タンク１に電気料金の安い夜間電力を利用して湯を沸き上げるため循環パイプ９を用いた外部式の発熱体１０とポンプ１１を備え、その給湯温度は、サーモスタットにより一定に維持するようになっている。例えば縦長に形成された貯湯タンク１には、その上部に台所、洗面台、浴槽等に温水を供給する給湯口１２を、下部に水道水等を補給する給水口１３をそれぞれ設けている。発熱体１０は図示するような外部方式に限らず、貯湯タンク１の下部に内蔵した内部式の発熱体を備えることも可能である。循環パイプ９に上述した返還管路６をつなぐ三方弁１４を設けている。混合水栓２とこの三方弁１４の途中に無圧タンク１ａを備えている。この無圧タンク１ａは、
滞留水を貯湯タンク１に容易に返還するためである。
【００２５】
図２は実施例１の返還機能を有する給湯・給水設備における混合水栓の一例を示す概略説明図である。
実施例１の給湯・給水設備における混合水栓２には、図２に示すように、貯湯タンク１からの給湯管路３と、水を供給する給水管路５の他に返還管路６を接続している。給湯管路３と給水管路５にはそれぞれ閉止弁１６を設けている。本発明では給湯管路３には混合水栓２と閉止弁１６の間に三方弁１７を設け、返還管路６を接続している。この三方弁１７は、例えば温度センサにより調整することができる。
【００２６】
図３は実施例１の返還機能を有する給湯・給水設備における混合水栓の一例を示す拡大概略説明図である。図４は混合水栓の動作状態を示す概略説明図であり、（ａ）は滞留水を返還している状態、（ｂ）は適温の温水を吐出している状態、（ｃ）は温水と水を混合して吐出している状態である。図５は返還機能を有する混合水栓の一例を示す概略説明図である。
実施例１の給湯・給水設備における混合水栓２の調整弁には、例えば図３に示すようなサーモスタット型の調整弁１８を設けることができる。この混合水栓２で滞留水を返還する際に、この調整弁１８により返還管路６の開閉を行う。この調整弁１８は、弁本体１９に給湯管路３と返還管路６と吐出口１５を接続し、この弁本体１９内に貫通孔２０を開けた可動弁２１を入れ、この可動弁２１はその一端はコイルばね２２で１方向（図示上は上方）へ付勢し、他端は熱で伸縮する感温体２３で挟んだ構成である。この感温体２３は調節ねじ２４で微調整するようになっている。
【００２７】
このサーモスタット型の調整弁１８を設けた混合水栓２の動作状態について説明する。先ず、図４（ａ）に示すように、混合水栓２を「開」にしたときに、調整弁１８の可動弁２１は給湯管路３と返還管路６とが「開」になる位置に停止する。同時に吐出口１５は「閉」になる。この可動弁２１の状態のときは、貯湯タンク１から混合水栓２までの給湯管路３に滞留している滞留水を吐出口１５、シャワー設備７等から吐出させることなく、返還管路６の途中に設けた無圧タンク１ａを経由して貯湯タンク１に返還する。即ち、この無圧タンク１ａに滞留水がある程度溜まると、三方弁１４を切替え、給水を止めポンプ１１を運転し、この無圧タンク１ａ内の水を貯湯タンク１に押し込んで給湯する（図１参照）。これにより、無駄に水を捨てることがなくなる。
【００２８】
次に、図４（ｂ）に示すように、貯湯タンク１内の温水が混合水栓２の調整弁１８まで到達すると、その温水の熱により感温体２３が反応して伸び、調整弁１８を下方へ移動させる。この調整弁１８の移動により返還管路６を「閉」にして、吐出口１５は「開」になる。この可動弁２１の状態のときは、給湯管路３の温水を吐出口１５又はシャワー設備７等から吐出させる。これにより、適温になった温水のみを吐出させることができ、吐出口１５、シャワー設備７等から冷水が出るという不具合がない。
【００２９】
図４（ｃ）に示すように、調整弁１８からの温水に、給水管路５からの水と共に混合することも勿論可能である。これにより湯温の調整を図ることができる。
【００３０】
図５は返還機能を有する混合水栓の一例を示す概略説明図である。
実施例１の給湯・給水設備には、三方弁１７又はサーモスタット型の調整弁１８を有する混合水栓２に限定されない。図５に示すように、給水管路５と給湯管路３とを有し、給湯管路３から冷めた滞留水を返還する返還管路６に切り換える機能を有する調整弁２５を混合水栓２が有する構造であれば、何れの構造のものでもよい。
【００３１】
図６は実施例１の給湯管路の冷めた湯水を返還して「給湯」に利用する返還機能を有す
る給湯・給水設備の制御方法を示す概略系統図であり、（ａ）は無圧タンクに滞留水が無い場合、（ｂ）は無圧タンクに滞留水が有る場合である。
次に、実施例１の給湯管路３に滞留している滞留水を返還管路６により貯湯タンク１に返還する際に、コントローラ２６を用いて無圧タンク１ａ、三方弁１４と開閉弁２７を制御する方法について説明する。図６（ａ）に示すように、返還管路６途中に備えた無圧タンク１ａに滞留水が無いときは、コントローラ２６が無圧タンク１ａのタンクセンサに水が無いと判断する。この判断をしたときは、三方弁１４の循環パイプ９への系統を閉に制御する。一方、給水系統４の開閉弁２７は開に制御し、給水系統４から貯湯タンク１に給水し、貯湯タンク１の温水を押し出す。押し出された温水は給湯管路３を通して混合水栓２から吐出される。
【００３２】
この無圧タンク１ａに滞留水が有るときは、図６（ｂ）に示すように、コントローラ２６が無圧タンク１ａのタンクセンサに水が有ると判断する。この判断をしたときは、三方弁１４の循環パイプ９の発熱体１０側の系統を閉に制御する。一方、給水系統４の開閉弁２７は閉に制御する。次に、ポンプ１１を運転して無圧タンク１ａ内の滞留水を貯湯タンク１に底部から供給し、貯湯タンク１の温水を押し出す。このときのポンプ１１の押圧方向は通常の循環パイプ９における沸き上げ時の循環方向と逆方向になる。押し出された温水は給湯管路３を通して混合水栓２から吐出される。例えば、ポンプ１１は送り出し側の圧力が低下すれば自動で起動し、またその圧力が高くなると自動で停止するように構成する。
【実施例２】
【００３３】
図７は本発明の実施例２の給湯管路の冷めた湯水を返還して「給水」に利用する返還機能を有する給湯・給水設備を示す概略系統図である。なお、実施例１と同じ部材、符号については説明を省略する。
実施例２の給湯管路の冷めた湯水を返還して主に「給水」に利用する返還機能を有する給湯・給水設備は、貯湯タンク１から温水を混合水栓２に供給する給湯管路３と、給水系統４から水を混合水栓２に供給する給水管路５と、実施例１とは異なり、給湯管路３に滞留している滞留水を返還管路６から一時貯留する貯留用タンク３１を備えた設備である。
【００３４】
この返還管路６は、貯湯タンク１から混合水栓２までの給湯管路３内に滞留している滞留水を、この返還管路６から貯留用タンク３１に返還する管路である。給湯管路３に滞留している冷めた滞留水を吐出口１５、シャワー設備７等から吐出させない管路である。
【００３５】
実施例２では、新たに貯留用タンク３１を設け、この貯留用タンク３１に貯留した滞留水は、貯留用タンク３１から他の水栓３２まで滞留水供給管路３３を用いて供給する。例えばトイレのような温水を利用しない他の水栓３２の給水に供する。これにより、貯湯タンク１から混合水栓２までの給湯管路３内に滞留している滞留水を有効に利用することができる。勿論貯留用タンク３１により、滞留水を無駄にすることなく、適温になった温水のみを混合水栓２、シャワー設備７等から吐出させることができる。
【００３６】
貯留用タンク３１の容量は例えば貯湯タンク１から混合水栓２までの給湯管路３から算出する。次の数式に示すような計算式で算出する。
貯留用タンクの容量＝給湯管路の容量×α  
αは１．５倍〜数倍
例えば、１６ｍｍの給湯配管が１０ｍであれば、０．８×０．８×３．１４×１０００ｃｍ＝２Ｌとなり、αを１．５とすれば３Ｌのタンク容量となる。
【００３７】
図８はジェットポンプ機構を設けた水栓の一例を示す概略構成図である。
貯留用タンク３１の滞留水を吐出する水栓３２には、図８に示すように、ジェットポン
プ機構３４を設け、貯留用タンク３１の低圧の滞留水を、給水管路５からの高圧の給水と同時に水栓３２内に吸引して吐出口３５から吐出させる。
【００３８】
図９はジェットポンプ機構を設けた水栓の他の一例を示す分解斜視説明図である。
図９に示すように、水栓３２に、低圧の滞留水を通過させる、フロート３６、弁体３７からなる空気阻止弁３８と、略筒状のジェットポンプ機構３９と栓４０を設けた。このジェットポンプ機構３９に低圧の滞留水と、給水管路５からの高圧の給水と同時に供給して滞留水を吸引して吐出させる。
【００３９】
図１０は実施例２の返還機能を有する給湯・給水設備の変形例を示す概略系統図である。
この貯留用タンク３１は、図１０に示すように、その底部に出入口４１を設け、かつ出入口４１が水栓３２の位置より上方に位置するように配置した。このような配置により、貯留用タンク３１内の滞留水はその自重で水栓３２に戻り、吐出口１５等から容易に吐出させることができる。
【００４０】
なお、本発明は上述した発明の実施の形態に限定されず、冷めた温水の返還構造を設けることで、利用者の設定した温度になるまで、吐水初期の冷めた湯水を吐出口１５、シャワー設備７から吐出させず、適温になった温水のみを吐出口１５等から吐出させ、無駄に水を捨てることがなく、更にこの冷めた水を再利用することができる構成であれば、図示したような構成に限定されず、本発明の要旨を逸脱しない範囲で種々変更できることは勿論である。
【産業上の利用可能性】
【００４１】
本発明の返還機能を有する給湯・給水設備及びその給湯・給水方法は、家庭用温水器に利用するだけでなく、業務用の大型の貯湯タンクを有する電気温水器においても利用することができる。更に、長い給湯配管を有するものであればガス給湯器にも勿論利用することができる。
【符号の説明】
【００４２】
１  貯湯タンク
２  混合水栓
３  給湯管路
４  給水系統
５  給水管路
６  返還管路
９  循環パイプ
１０  発熱体
１３  貯湯タンクの給水口
３１  貯留用タンク
３２  水栓
３３  滞留水供給管路
３４  ジェットポンプ機構
３８  ジェットポンプ機構
４１  貯留用タンクの出入口
【図１】
2011220581.tif 000003
【図２】
2011220581.tif 000004
【図３】
2011220581.tif 000005
【図４】
2011220581.tif 000006
【図５】
2011220581.tif 000007
【図６】
2011220581.tif 000008
【図７】
2011220581.tif 000009
【図８】
2011220581.tif 000010
【図９】
2011220581.tif 000011
【図１０】
2011220581.tif 000012
【図１１】
2011220581.tif 000013
【図１２】
2011220581.tif 000014